(57)【要約】【課題】カウルルーバ全体を取り外すのに比較して、取り外し作業が容易で、カウルルーバの溝及びフードシールを切断せずに、カウルルーバ下方における各種の作業を容易に行うことを可能にする。【解決手段】カウルルーバ11は、ワイパの駆動部を覆う状態でフロントガラスの下縁に沿って車幅方向に延びる後ルーバ部12と、後ルーバ部12の前側に配置される前ルーバ部13とに分割されている。前ルーバ部13は、車幅方向に沿って延びる溝23と、フードシール25とが全長に亘って延びるように設けられ、後側が後ルーバ部12に重なる状態で取り外し可能にカウルに支持される。後ルーバ部12は、左ルーバ部材12Ｌ及び右ルーバ部材12Ｒが車幅方向に沿って延びるように連結されて構成されている。【選択図】      図１
2005306070.tif 000002
【特許請求の範囲】
【請求項１】
車両のフードとフロントガラス下部との間において、車両の幅方向に延びるように配設されるカウルルーバであって、
ワイパの駆動部を覆う状態で前記フロントガラスの下縁に沿って車幅方向に延びる後ルーバ部と、前記後ルーバ部の前側に配置される前ルーバ部とに分割され、前記前ルーバ部は、車幅方向に沿って延びる溝と、フードシールとが全長に亘って延びるように設けられ、後側が前記後ルーバ部に重なる状態で取り外し可能に支持される車両のカウルルーバ。
【請求項２】
前記後ルーバ部は、ブレーキ液リザーバタンクにブレーキ液容器からブレーキ液を注入する際に、ブレーキ液容器と干渉しないように形成されている請求項１に記載の車両のカウルルーバ。
【請求項３】
前記後ルーバ部は、少なくともカウル上に装備品が存在する箇所と対応する箇所に、下部がカウルに支持される前壁を備えている請求項１又は請求項２に記載の車両のカウルルーバ。
【請求項４】
前記後ルーバ部は、一対のルーバ部材が車幅方向に沿って延びるように連結されて構成されている請求項１〜請求項３のいずれか一項に記載の車両のカウルルーバ。
【発明の詳細な説明】
【技術分野】
【０００１】
本発明は、車両のカウルルーバに係り、詳しくはカウルルーバに覆われた部分のメンテナンスを容易にすることができる車両のカウルルーバに関する。
【背景技術】
【０００２】
車両のカウルルーバは、車両のフードとフロントガラス下部との間に設けられ、ワイパモータ等を覆って意匠性を高めるとともに、車室内へ外気を導入する導入口を備えている。また、カウルルーバは、フードとカウルの隙間から雨水等がエンジンルーム内に侵入するのを防止する役割も果たしている。
【０００３】
近年の車両においては、車室内の空間を広くすることが求められている。車両の大きさを変えずに車室内の空間を広くすると、エンジンルーム内でエンジンやバッテリ等が密な状態で配置されるようになる。また、カウルルーバもエンジンやサスペンションと近接する状態となり、一部の車両においてはカウルルーバがフロントサスペンションやバッテリあるいはブレーキ液リザーバタンクの注入口の上方に配設されるようになっている。その結果、カウルルーバがフロントサスペンション等の上方に配設された車両においては、交換等のフロントサスペンションのメンテナンス、ブレーキ液の補充あるいはバッテリ交換等の作業を行う際に、カウルルーバを車両から取り外す必要があった。カウルルーバの車両からの取り外しは、作業時間の増大及び作業コストの上昇を引き起こすという問題があった。
【０００４】
フロントサスペンションのメンテナンスを簡単に行うため、カウルルーバのフロントサスペンションの上方となる位置に開口部を設け、該開口部を被覆するとともにフロントサスペンションのメンテナンス時に該開口部を露出できる蓋体を有するカウルルーバが提案されている（例えば、特許文献１参照）。また、ブレーキ液の注入口と対応する部分でカウルルーバを切り欠くようにしてサービス用蓋を形成したものも実施されている。
【特許文献１】特開２００３−２７６６４２号公報（明細書の段落［０００７］、図１，３）
【発明の開示】
【発明が解決しようとする課題】
【０００５】
ところが、フードとカウルルーバとの隙間から雨水等がエンジンルーム内に侵入するのを防止するため、カウルルーバには、その前側に溝と、フードシールとが車幅方向に延びるように設けられている。従って、カウルルーバの途中を切り欠いて、サービス用蓋を設けた構成では、前記溝及びフードシールが蓋の部分で切断されて隙間が形成される。その結果、雨水等がエンジンルーム内に侵入したり、エンジンルーム（エンジンコンパートメント）内の空気が室内に侵入したりするという問題がある。また、別の作業、例えば、バッテリ交換の作業性を高めるため、バッテリと対応する箇所にも蓋部を設けると、前記溝及びフードシールが切断される箇所が増えて、前記問題がより顕著になる。
【０００６】
また、特許文献１のようにフロントサスペンションのメンテナンスのみを目的とした場合は、カウルルーバの開口部がカウルルーバの車幅方向の両端部となるため、カウルルーバの両端部における車両前後方向の長さを長くすることにより、前記開口部が溝やフードシールを切断しないように設けることは可能であるが、カウルルーバが大型となる。
【０００７】
本発明は、前記の問題に鑑みてなされたものであって、その目的は、カウルルーバ全体を取り外すのに比較して、取り外し作業が容易で、カウルルーバの溝及びフードシールを切断せずに、各種の作業を容易に行うことが可能なカウルルーバを提供することにある。
【課題を解決するための手段】
【０００８】
前記の目的を達成するため、請求項１に記載の発明は、車両のフードとフロントガラス下部との間において、車両の幅方向に延びるように配設されるカウルルーバである。そして、ワイパの駆動部を覆う状態で前記フロントガラスの下縁に沿って車幅方向に延びる後ルーバ部と、前記後ルーバ部の前側に配置される前ルーバ部とに分割されている。前記前ルーバ部は、車幅方向に沿って延びる溝と、フードシールとが全長に亘って延びるように設けられ、後側が前記後ルーバ部に重なる状態で取り外し可能に支持される。
【０００９】
この発明では、カウルルーバは、前ルーバ部と後ルーバ部とに分割され、前ルーバ部が取り外し可能に支持される。従って、従来のカウルルーバ全体を取り外す構成に比較して、前ルーバ部の取り外し作業が簡単になる。そして、前ルーバ部を取り外すことにより、エンジンルーム後部寄りの部分の上方が開放され、フロントサスペンションのメンテナンスが容易になる。前ルーバ部には車幅方向全長に亘って延びるように溝及びフードシールが存在するため、カウルルーバの一部を切り欠くようにして蓋を形成した場合と異なり、溝やフードシールが途中で切断されない。その結果、雨水や洗車時の水等がエンジンルーム内に侵入したり、エンジンルーム内の熱い空気が溝やフードシールの隙間からエンジンルーム外に放出されてカウルルーバに形成された外気導入口から車室内に侵入したりするのを防止することができる。
【００１０】
請求項２に記載の発明は、請求項１に記載の発明において、前記後ルーバ部は、ブレーキ液リザーバタンクにブレーキ液容器からブレーキ液を注入する際に、ブレーキ液容器と干渉しないように形成されている。この発明では、前ルーバ部を取り外した状態で、ブレーキ液容器が後ルーバ部と干渉せずに、ブレーキ液をブレーキ液リザーバタンクに補充することができる。
【００１１】
請求項３に記載の発明は、請求項１又は請求項２に記載の発明において、前記後ルーバ部は、少なくともカウル上に装備品が存在する箇所と対応する箇所、例えば、装備品の周辺又は装備品の車両方向前方にて、下部がカウルに支持される前壁を備えている。ここで、「カウル上に装備品が存在する箇所」とは、例えばワイパピボットに回動可能に支持される回転軸を駆動する駆動部やワイパモータ等が配設された箇所を意味する。
【００１２】
後ルーバ部の前側が自由端の状態では、フロントガラスに上から衝突物が当たった際、あるいはカウルルーバに直接上から衝突物が当たった際に、カウルルーバに下方へ向かう衝撃荷重が作用すると、カウルルーバが容易に大きく撓み、カウルルーバが装備品に当たった時点で、衝突物に急激に大きな衝撃が加わることになる。しかし、この発明では、後ルーバ部は、前壁がカウルに支持された状態で車体に組み付けられるため、カウルルーバに下方に向かう衝撃荷重が作用すると、前壁を含めカウルルーバ自体の変形にても衝撃が吸収され、カウルルーバが装備品に当たった時点で、急激に大きな衝撃が作用することを防止できる。
【００１３】
請求項４に記載の発明は、請求項１〜請求項３のいずれか一項に記載の発明において、前記後ルーバ部は、一対のルーバ部材が車幅方向に沿って延びるように連結されて構成されている。従って、この発明では、後ルーバ部が分割されていない構成に比較して、車体への組み付け作業が容易になるとともに、後ルーバ部を製造する際の金型を小さくできる。
【発明の効果】
【００１４】
本発明によれば、カウルルーバ全体を取り外すのに比較して、取り外し作業が容易で、カウルルーバの溝及びフードシールを切断せずに、各種の作業を容易に行うことを可能にすることができる。
【発明を実施するための最良の形態】
【００１５】
以下、本発明を具体化した一実施形態を図１〜図５に従って説明する。図１はカウルルーバの模式分解斜視図、図２（ａ）は後ルーバの連結部付近における模式断面図、（ｂ）はワイパピボット用の孔の部分における（図１のＢ−Ｂ線における）模式断面図である。図３はブレーキ液リザーバタンクと対応する部分における（図１のＣ−Ｃ線における）模式断面図、図４はバッテリと対応する部分における（図１のＤ−Ｄ線における）模式断面図、図５はワイパ駆動部と対応する部分における（図１のＥ−Ｅ線における）模式断面図である。
【００１６】
図１に示すように、カウルルーバ１１は、後ルーバ部１２と前ルーバ部１３とを備えている。後ルーバ部１２及び前ルーバ部１３は、樹脂を射出成形することにより構成されている。この実施の形態では、樹脂材として例えば、ポリプロピレンが使用されている。後ルーバ部１２は、ワイパの駆動部を覆う状態でフロントガラス１４（図２〜図５に鎖線で図示）の下縁に沿って車幅方向に延びるように形成されている。後ルーバ部１２は、一対の右ルーバ部材１２Ｒ及び左ルーバ部材１２Ｌが車幅方向に沿って延びるように連結されて構成されている。車両の進行方向に向かって右側に組み付けられる右ルーバ部材１２Ｒの連結側端部にはフランジ１５が形成され、フランジ１５には長孔１５ａが形成されている。左ルーバ部材１２Ｌの連結側端部には、右ルーバ部材１２Ｒの長孔１５ａに挿通されるピン１５ｂが突設され、ピン１５ｂが長孔１５ａに挿入されることにより右ルーバ部材１２Ｒと左ルーバ部材１２Ｌとが連結される。そして、後ルーバ部１２の車幅方向両端に、車体に組み付ける際のボルト挿通孔１６ａを備えたフランジ１６が形成されている。
【００１７】
後ルーバ部１２は、図２〜図５に示すように、車体に組み付けられた状態において、ほぼフロントガラス１４の延長線に沿って延びる上壁１２ａと、上壁１２ａの前端で屈曲されて下方へ延びる前壁１２ｂとを備えている。また、後ルーバ部１２は、前壁１２ｂより前側において、車幅方向の中間部を、カウルを構成するカウルロア１７で支持するための被支持部１２ｃを備えている。即ち、後ルーバ部１２は、少なくともカウル上に装備品が存在する箇所と対応する箇所、例えば、装備品の周辺又は装備品の車両方向前方にて、下部がカウルに支持される前壁１２ｂを備えている。
【００１８】
図２〜図５に示すように、上壁１２ａの車両前後方向の長さ、前壁１２ｂの高さ及び被支持部１２ｃの車両前後方向の長さは、カウルロア１７の形状に対応して、場所によって異なる大きさに形成されている。カウルロア１７は、前ルーバ部１３が取り外された状態で、各種のメンテナンス作業等を行う際の支障とならない形状に構成され、その前端位置が一定でないため、それに対応して上壁１２ａの車両前後方向の長さ、前壁１２ｂの高さ及び被支持部１２ｃの車両前後方向の長さが設定されている。被支持部１２ｃの下面には所々に凸部１２ｄ（例えば、図２（ａ）に図示）が形成され、カウルロア１７には凸部１２ｄが係合する孔（図示せず）が形成されている。
【００１９】
後ルーバ部１２は、ブレーキ液リザーバタンク２７にブレーキ液容器２８からブレーキ液を注入する際に、ブレーキ液容器と干渉しないように形成されている。具体的には、図３に示すように、上壁１２ａの車両前後方向の長さが他の箇所より短く形成されている。
【００２０】
右ルーバ部材１２Ｒの上壁１２ａには、ワイパピボットが貫通するピボット孔１８が２個形成されている。そして、図２（ｂ）に示すように、後ルーバ部１２が車体に組み付けられた状態において、ワイパピボット１９の先端がピボット孔１８から突出するようになっている。左ルーバ部材１２Ｌには車室内への外気導入口２０が設けられている。外気導入口２０は、車幅方向に延びる１個の開口部で構成されている。
【００２１】
前ルーバ部１３は、車幅方向両端に、車体に組み付ける際のボルト挿通孔２１ａを備えたフランジ２１が形成されている。図２〜図５に示すように、前ルーバ部１３には、前端にフードシール取付け部２２が車幅方向に沿って、前ルーバ部１３全長に亘って延びるように設けられている。フードシール取付け部２２の後方には、溝２３が車幅方向に沿って、前ルーバ部１３全長に亘って延びるように設けられている。フードシール取付け部２２には、車体に組み付けられた状態において、フード２４と前ルーバ部１３の上面との間のシールを確保するためのフードシール２５が固定されている。フードシール２５は、例えばゴム製でチューブ状に形成されている。
【００２２】
前ルーバ部１３は、図２〜図５に示すように、車体に組み付けられた状態において、ワイパピボット１９と対応する箇所を除いて、後ルーバ部１２の上壁１２ａに当接する当接部１３ａと、当接部１３ａから前側斜め上方へ向かって延び、かつ途中でほぼフード２４の延長線に沿って延びる上壁１３ｂとを備えている。そして、前記フードシール取付け部２２が上壁１３ｂの前端より一段低くなり、溝２３が断面ほぼ平行四辺形状となるように前ルーバ部１３を構成する樹脂が射出成形されている。
【００２３】
図２〜図５に示すように、前ルーバ部１３の上壁１３ｂの車両前後方向の長さ、上壁１３ｂの前端から溝２３の底までの長さは、カウルロア１７の形状及び後ルーバ部１２の形状に対応して、場所によって異なる長さに形成されている。図１に示すように、前ルーバ部１３の車両の進行方向に向かって左側には、車室内への外気導入口２６が設けられている、外気導入口２６は複数の孔で構成されている。
【００２４】
次に前記のように構成されたカウルルーバ１１の作用を説明する。
カウルルーバ１１を構成する後ルーバ部１２を車体に組み付ける場合は、先ず右ルーバ部材１２Ｒが組み付けられる。右ルーバ部材１２Ｒは、被支持部１２ｃの凸部１２ｄがカウルロア１７に形成された孔と係合する状態で位置決めされ、ボルト挿通孔１６ａに挿通される図示しないボルトを介して車体に固定される。次に、左ルーバ部材１２Ｌが組み付けられる。左ルーバ部材１２Ｌは、被支持部１２ｃの凸部１２ｄがカウルロア１７に形成された孔と係合する状態で位置決めされ、ピン１５ｂが右ルーバ部材１２Ｒの長孔１５ａに挿通されて右ルーバ部材１２Ｒに連結される。そして、その状態で、左ルーバ部材１２Ｌのボルト挿通孔１６ａに挿通される図示しないボルトを介して左ルーバ部材１２Ｌが車体に固定される。なお、フロントガラス１４は、カウルアウタ３１の上面に下縁が接着剤３２により接着された状態で支持されている。そして、右ルーバ部材１２Ｒ及び左ルーバ部材１２Ｌを組み付けることにより、フロントガラス１４の下端部が右ルーバ部材１２Ｒ及び左ルーバ部材１２Ｌによっても支持される。
【００２５】
次に前ルーバ部１３が組み付けられる。前ルーバ部１３の組み付けは、前ルーバ部１３の下面に設けられた凸部がカウルロア１７に設けられた係合孔（いずれも図示せず）と係合して位置決めされるとともに、当接部１３ａが後ルーバ部１２の上壁１２ａに当接する状態で、フランジ２１のボルト挿通孔１６ａに挿通される図示しないボルトを介して車体に固定される。即ち、前ルーバ部１３は、後側が後ルーバ部１２に重なる状態で取り外し可能にカウルロア１７に支持される。
【００２６】
前ルーバ部１３は、フロントサスペンションのメンテナンス、ブレーキ液の補充、バッテリの交換などの作業を行う場合には取り外される。前ルーバ部１３の取外し作業は、ボルト挿通孔１６ａに挿通されたボルトを取り外した後、前ルーバ部１３を上方へ移動させることで容易に行うことができる。
【００２７】
図２〜図５に示すように、カウルルーバ１１が組み付けられた状態で、フード２４が鎖線で示す閉鎖位置に配置されると、フード２４の先端側下面がフードシール２５に当接する。そして、フード２４とカウルルーバ１１との間のシールがカウルルーバ１１の車幅方向全長に亘って確保される。また、カウルルーバ１１の一部を切り欠いて蓋部を形成する構成と異なり、溝２３が途中で切断されない。従って、雨水や洗車時の水が、フード２４とカウルルーバ１１との隙間から侵入したり、溝２３の切断部の隙間から侵入したりすることが防止される。また、エンジンの駆動により熱せられたエンジンルーム内の熱い空気が、フード２４とカウルルーバ１１との間あるいは溝２３の切断部の隙間から外部に放出され、両外気導入口２６，２０を経て車室内に導入されることも防止される。
【００２８】
図２（ｂ）に示すように、前ルーバ部１３が組み付けられた状態では、フロントサスペンションの締付け作業スペースＳ１が前ルーバ部１３で覆われた状態になる。しかし、前ルーバ部１３が取り外された状態では、フロントサスペンションの締付け作業スペースＳ１が開放され、後ルーバ部１２を取り外すことなく、フロントサスペンションの締付け作業を行うことができる。
【００２９】
図３に示すように、前ルーバ部１３が組み付けられた状態では、ブレーキ液リザーバタンク２７の上方が前ルーバ部１３で覆われた状態になり、この状態では前ルーバ部１３がブレーキ液容器２８と干渉し、ブレーキ液を注入することができない。しかし、前ルーバ部１３が取り外された状態では、図３に鎖線で示すように、ブレーキ液容器２８をブレーキ液リザーバタンク２７にブレーキ液を注入する位置に配置することができる。従って、ブレーキ液の補充作業を簡単に行うことができる。
【００３０】
図４に示すように、前ルーバ部１３が組み付けられた状態では、バッテリ２９の上方の一部が前ルーバ部１３で覆われた状態になり、この状態ではフード２４を開放しただけでは、バッテリ２９をエンジンルーム内から取り出す作業に手間がかかる。しかし、前ルーバ部１３が取り外された状態では、バッテリ２９を上方へ真っすぐ移動させることができ、バッテリの交換作業が容易になる。
【００３１】
後ルーバ部１２の下方には、場所によって、図５に示すように、ワイパの駆動部３０やワイパモータ等の装備品が配設されている箇所がある。後ルーバ部１２の前側が自由端の状態では、フロントガラス１４に上から衝突物が当たった際、あるいはカウルルーバ１１に直接上から衝突物が当たった際に、カウルルーバ１１に下方へ向かう衝撃荷重Ｆが作用すると、カウルルーバ１１が容易に大きく撓み、カウルルーバ１１が装備品に当たった時点で、衝突物に急激に大きな衝撃が加わることになる。しかし、後ルーバ部１２は、前壁１２ｂがカウルロア１７に支持された状態で車体に組み付けられるため、カウルルーバ１１に下方に向かう衝撃荷重Ｆが作用すると、前壁１２ｂを含めカウルルーバ自体の変形にても衝撃が吸収され、カウルルーバ１１が装備品に当たった時点で、急激に大きな衝撃が作用することを防止できる。
【００３２】
この実施形態では以下の効果を有する。
（１）カウルルーバ１１は、ワイパの駆動部３０を覆う状態でフロントガラス１４の下縁に沿って車幅方向に延びる後ルーバ部１２と、後ルーバ部１２の前側に配置される前ルーバ部１３とに分割されている。そして、前ルーバ部１３は、車幅方向に沿って延びる溝２３と、フードシール２５とが全長に亘って延びるように設けられ、後側が後ルーバ部１２に重なる状態で取り外し可能に支持される。従って、従来のカウルルーバ全体を取り外す構成に比較して、前ルーバ部１３の取り外し作業が簡単になる。そして、前ルーバ部１３を取り外すことにより、エンジンルーム後部寄りの部分の上方が開放され、フロントサスペンションのメンテナンスが容易になる。また、前ルーバ部１３には車幅方向全長に亘って延びるように溝２３及びフードシール２５が存在するため、カウルルーバの一部を切り欠くようにして蓋を形成した場合と異なり、溝２３やフードシール２５が途中で切断されない。その結果、雨水や洗車時の水等がエンジンルーム内に侵入したり、エンジンルーム内の熱い空気が溝２３やフードシール２５の隙間からエンジンルーム外に放出されてカウルルーバ１１に形成された外気導入口２６，２０から車室内に侵入したりするのを防止することができる。エンジンルーム内の熱い空気が外気導入口２６，２０から車室内に侵入するのが防止されるため、空調装置による車室内の空調を効率よく行うことができる。
【００３３】
（２）後ルーバ部１２は、ブレーキ液リザーバタンク２７にブレーキ液容器２８からブレーキ液を注入する際に、ブレーキ液容器２８と干渉しないように形成されている。従って、前ルーバ部１３を取り外した状態で、ブレーキ液容器２８が後ルーバ部１２と干渉せずに、ブレーキ液をブレーキ液リザーバタンク２７に補充することができる。
【００３４】
（３）後ルーバ部１２は、カウルロア１７上に装備品が存在する箇所と対応する箇所に、下部がカウルロア１７に支持される前壁１２ｂを備えている。従って、後ルーバ部１２は、前壁１２ｂがカウルロア１７に支持された状態で車体に組み付けられるため、カウルルーバ１１に下方に向かう衝撃荷重Ｆが作用すると、前壁１２ｂを含めカウルルーバ自体の変形にても衝撃が吸収され、カウルルーバ１１が装備品に当たった時点で、急激に大きな衝撃が作用することを防止できる。
【００３５】
（４）前ルーバ部１３は、車幅方向中間部において一部がカウルロア１７に支持されている。従って、両端部でのみ車体に支持される構成に比較して、取り付けられた状態において安定性が良くなる。
【００３６】
（５）後ルーバ部１２は、一対の左ルーバ部材１２Ｌ及び右ルーバ部材１２Ｒが車幅方向に沿って延びるように連結されて構成されている。従って、後ルーバ部１２が分割されていない構成に比較して、車体への組み付け作業が容易になるとともに、後ルーバ部１２を製造する際の金型を小さくできる。
【００３７】
（６）後ルーバ部１２は、バッテリ２９の上方を覆わないように形成されている。従って、前ルーバ部１３を取り外すことにより、バッテリ２９の交換作業を簡単に行うことができる。
【００３８】
（７）後ルーバ部１２及び前ルーバ部１３は、樹脂が射出成形されているため、後ルーバ部１２及び前ルーバ部１３の断面形状が車幅方向の位置によって異なるように屈曲された形状であっても良好に形成できる。
【００３９】
実施形態は前記に限定されるものではなく、例えば次のように構成してもよい。
○  後ルーバ部１２は、一対の左ルーバ部材１２Ｌ及び右ルーバ部材１２Ｒが車幅方向に沿って延びるように連結された構成に限らず、図６に示すように、後ルーバ部１２が車幅方向全長に亘って一体形成された構成でもよい。この場合、部品点数が少なくなり、一対の左ルーバ部材１２Ｌ及び右ルーバ部材１２Ｒをずれなく連結するための構成が不要になる。
【００４０】
○  後ルーバ部１２に設けられ、下部がカウル（カウルロア１７）に支持される前壁１２ｂは、カウル上に装備品が存在する箇所と対応する箇所にのみ設けてもよい。この場合も、後ルーバ部１２の前側が自由端の状態に比較して、後ルーバ部１２に作用する衝撃荷重Ｆの衝撃が減衰されずに後ルーバ部１２が装備品に衝突することが抑制され、物に作用する衝撃が小さくなる。
【００４１】
○  後ルーバ部１２の前壁１２ｂを省略してもよい。
〇  前ルーバ部１３は、両端部でのみ車体に支持される構成としてもよい。
○  後ルーバ部１２及び前ルーバ部１３は樹脂板を屈曲形成したものであっても良い。
【００４２】
○  前ルーバ部１３及び後ルーバ部１２の車体への固定は手段は、ボルトに限定されるものではなく、クリップ等でも良い。
以下の技術的思想（発明）は前記実施形態から把握できる。
【００４３】
（１）請求項１〜請求項４のいずれか一項に記載の発明において、前記後ルーバ部は、バッテリの上方を覆わないように形成されている。
【図面の簡単な説明】
【００４４】
【図１】カウルルーバの模式分解斜視図。
【図２】（ａ）は後ルーバの連結部付近における模式断面図、（ｂ）はワイパピボット用の孔の部分における模式断面図。
【図３】ブレーキ液リザーバタンクと対応する部分の模式断面図。
【図４】バッテリと対応する部分の模式断面図。
【図５】ワイパ駆動部と対応する部分の模式断面図。
【図６】別の実施形態のカウルルーバの模式分解斜視図。
【符号の説明】
【００４５】
１１…カウルルーバ、１２…後ルーバ部、１２ｂ…前壁、１３…前ルーバ部、１４…フロントガラス、１７…カウルを構成するカウルロア、２３…溝、２４…フード、２５…フードシール、２７…ブレーキ液リザーバタンク、２８…ブレーキ液容器、３０…駆動部。
【図１】
2005306070.tif 000003
【図２】
2005306070.tif 000004
【図３】
2005306070.tif 000005
【図４】
2005306070.tif 000006
【図５】
2005306070.tif 000007
【図６】
2005306070.tif 000008